(57)【要約】【課題】  遠隔地およびプラント内に設置された複数の緊急対策拠点間で同一のプラント情報を同一の表示形式で同時に表示可能とする。【解決手段】  発電会社データセンタ３には、収集サーバ３１、Ｗｅｂサーバ３２、収集サーバ用クライアント３３、Ｗｅｂクライアント３４が設けられる。発電所１と行政出先機関７には、Ｗｅｂクライアント１２，７２が設けられ、通信事業者回線８と接続される。発電所１の緊急時には、接続手段３５によりＷｅｂサーバ３２と通信事業者回線８を接続し、収集サーバ３１により、発電所１のプラントデータをＷｅｂサーバ３２に周期的に送信する。Ｗｅｂサーバ３２は、受信したプラントデータを予め設定された表示形式でＷｅｂ画面表示する画面表示用画像データを作成し、作成した画面表示用画像データを各Ｗｅｂクライアントに送信して、プラントデータをＷｅｂ画面表示させる。【選択図】  図１
2006221376.tif 000002
【特許請求の範囲】
【請求項１】
監視対象プラントの緊急時における情報を表示するプラント緊急時情報表示システムにおいて、
前記監視対象プラントのプロセスデータを収集する収集サーバと、
前記収集サーバで収集された前記監視対象プラントのプロセスデータを用いて、当該プロセスデータを予め設定された表示形式でＷｅｂ画面表示する画面表示用画像データを作成し、作成した画面表示用画像データを、通信事業用ネットワーク経由で、遠隔地および当該監視対象プラント内に設置された複数の緊急対策拠点の各Ｗｅｂクライアントに送信して当該監視対象プラントのプロセスデータをＷｅｂ画面表示させるＷｅｂサーバと、
前記監視対象プラントの緊急時に前記Ｗｅｂサーバと前記通信事業用ネットワークを接続する接続手段
を備えたことを特徴とするプラント緊急時情報表示システム。
【請求項２】
前記収集サーバは、前記監視対象プラントの緊急時に当該監視対象プラントのプロセスデータを前記Ｗｅｂサーバに対して周期的に送信するように構成され、
前記Ｗｅｂサーバは、前記収集サーバから周期的に送信される前記監視対象プラントの各期のプロセスデータを周期的に受信して、各期のプロセスデータをＷｅｂ画面表示する画面表示用画像データを作成し、作成した各期の画面表示用画像データを前記通信事業用ネットワーク経由で前記Ｗｅｂクライアントに周期的に送信することにより、当該Ｗｅｂクライアント上で当該監視対象プラントのプロセスデータを周期的にＷｅｂ画面表示させるように構成されている
ことを特徴とする請求項１に記載のプラント緊急時情報表示システム。
【請求項３】
前記収集サーバは、前記監視対象プラントのプロセスデータを周期的に収集して複数期のプロセスデータを保存し、当該監視対象プラントの緊急時に、当該監視対象プラントについて保存している複数期のプロセスデータを前記Ｗｅｂサーバに対して一括的に送信するように構成され、
前記Ｗｅｂサーバは、前記収集サーバから送信される前記監視対象プラントの複数期のプロセスデータを受信して、複数期のプロセスデータをグラフ表示形式でＷｅｂ画面表示する画面表示用画像データを作成し、作成した画面表示用画像データを前記通信事業用ネットワーク経由で前記Ｗｅｂクライアントに送信することにより、当該Ｗｅｂクライアント上で当該監視対象プラントの複数期のプロセスデータをグラフ表示形式でＷｅｂ画面表示させるように構成されている
ことを特徴とする請求項１または請求項２に記載のプラント緊急時情報表示システム。
【請求項４】
前記Ｗｅｂサーバは、前記Ｗｅｂクライアントからのユーザ特定情報を含むログイン要求を受信した場合に、当該ユーザ特定情報に基づいてユーザ認証処理を行い、ユーザ認証処理結果に応じた情報をＷｅｂ画面表示する画面表示用画像データを作成し、作成した画面表示用画像データをログイン応答として要求元の当該Ｗｅｂクライアントに送信するように構成されている
ことを特徴とする請求項１乃至請求項３のいずれかに記載のプラント緊急時情報表示システム。
【請求項５】
監視対象プラントの緊急時における情報を表示するプラント緊急時情報表示方法において、
収集サーバにより、前記監視対象プラントのプロセスデータを収集するステップと、
Ｗｅｂサーバにより、前記データ収集ステップで収集された前記監視対象プラントのプロセスデータを用いて、当該プロセスデータを予め設定された表示形式でＷｅｂ画面表示する画面表示用画像データを作成し、作成した画面表示用画像データを、通信事業用ネットワーク経由で、遠隔地および当該監視対象プラント内に設置された複数の緊急対策拠点の各Ｗｅｂクライアントに送信して当該監視対象プラントのプロセスデータをＷｅｂ画面表示させるステップと、
接続手段により、前記監視対象プラントの緊急時に前記Ｗｅｂサーバと前記通信事業用ネットワークを接続するステップ
を含むことを特徴とするプラント緊急時情報表示方法。
【請求項６】
監視対象プラントのプロセスデータを収集する収集サーバと協働して、当該監視対象プラントの緊急時における情報を表示するプラント緊急時情報表示用のＷｅｂサーバにおいて、
前記収集サーバで収集された前記監視対象プラントのプロセスデータを用いて、当該プロセスデータを予め設定された表示形式でＷｅｂ画面表示する画面表示用画像データを作成する画像データ作成手段と、
前記画像データ作成手段で作成された前記監視対象プラントのプロセスデータの画面表示用画像データを、通信事業用ネットワーク経由で、遠隔地および当該監視対象プラント内に設置された複数の緊急対策拠点の各Ｗｅｂクライアントに送信して当該監視対象プラントのプロセスデータをＷｅｂ画面表示させる画像データ送信手段
を備えたことを特徴とするプラント緊急時情報表示用Ｗｅｂサーバ。
【発明の詳細な説明】
【技術分野】
【０００１】
本発明は、監視対象プラントの緊急時における情報を表示するための技術に関するものである。
【背景技術】
【０００２】
一般に、原子力発電所の緊急時における情報を表示するための緊急時情報表示システムは、図１６に示す形態で構成される。
【０００３】
この図１６に示すように、発電所１内のプロセス計算機１１は、発電会社専用回線２を介して発電会社データセンタ３内の収集サーバ３１と接続されている。収集サーバ３１は、発電会社データセンタ３内の収集サーバ用クライアント３３に接続されると共に、通信事業者回線４を介して行政データセンタ５内の行政サーバ５１と接続されている。行政サーバ５１は、行政専用回線６を介して行政出先機関７内の行政クライアント７１と接続されている。
【０００４】
このうち、収集サーバ３１と行政サーバ５１は、一般的に「サーバ」と呼ばれる記憶容量の大きなコンピュータから構成されている。また、収集サーバ用クライアント３３と行政クライアント７１は、汎用のパーソナルコンピュータから構成されている。また、図１６中では、簡略化の観点から、監視対象として、単一の発電所１のみが示されているが、実際には、監視対象となる複数の発電所が同様に接続されている。
【０００５】
このような構成を有する図１６の緊急時情報表示システムの動作は次の通りである。すなわち、発電所１内のプロセス計算機１１は、予め設定された一定の周期でプロセスデータを収集サーバ３１に送信する。発電会社データセンタ３内の収集サーバ３１は、発電所１内のプロセス計算機１１から一定の周期で送信されるプロセスデータを収集し、収集したプロセスデータを収集サーバ用クライアント３３に送信することにより、収集サーバ用クライアント３３上にプロセスデータを画面表示させる。
【０００６】
また、収集サーバ３１は、プロセスデータの中から、緊急時に行政官庁に提供すべきデータを抽出し、通信事業者回線４を経由して行政データセンタ５内の行政サーバ５１に送信する。原子力発電所の場合、このような行政サーバ５１へのデータ送信は、原子力発電所の災害等の緊急時のみに行われる。さらに、緊急時のプロセスデータを受信した行政サーバ５１は、行政専用回線６を経由してデータを行政クライアント７１に送信することにより、行政クライアント７１上にプロセスデータを画面表示させる。
【０００７】
上記の動作により、原子力発電所の緊急時の情報は、発電所内のみでなく、発電会社の本社、行政官庁、および行政官庁出先機関などに設けられるデータセンタなどの緊急対策拠点でリアルタイムに表示することができる。
【０００８】
また、発電所等のプラントの緊急時に緊急対策拠点に情報を通知するための従来手法としては、プラントのプロセスデータを収集し、プロセスデータの値から緊急対策を要する異常発生と判断される場合に、収集したデータを予め送信先として設定された緊急対策拠点に電子メール等で自動送信する手法が存在している（例えば、特許文献１、２参照）。
【特許文献１】特開平２−１２６７８９
【特許文献２】特開２００４−３０１１３
【発明の開示】
【発明が解決しようとする課題】
【０００９】
しかしながら、上述したようなプラントの緊急時における従来の情報通知・表示手法には、次のような問題点がある。
【００１０】
まず、図１６に示す緊急時情報表示システムにおいては、発電会社の本社、行政官庁、および行政官庁出先機関などに予め設けられているデータセンタなどの緊急対策拠点で、緊急時に特定のプロセスデータを受信して表示することができるが、受信したプロセスデータが同一であっても、個々の緊急対策拠点における表示形式は異なるため、複数の緊急対策拠点間で完全に同一のプラント情報を共有することは困難である。
【００１１】
すなわち、図１６に示す原子力発電所の例において、行政出先機関７、発電会社データセンタ３、および発電所１内にそれぞれ設けられた計３箇所の緊急対策拠点間でプラント情報を完全に共有することは困難である。
【００１２】
また、緊急時にプロセスデータを自動送信する場合には、予め送信先として設定された緊急対策拠点に特定のプロセスデータを自動送信できる反面、それ以外の未設定の緊急対策拠点にプロセスデータを自動送信することはできないため、未設定の緊急対策拠点に対する情報の通知が遅延してしまう。特に、データを電子メールで送信する場合には、複数の緊急対策拠点に対してデータを同時に自動送信しても、受信したデータを画面表示する時間に差が生じる。したがって、複数の緊急対策拠点間でプラント情報を同時に共有することは困難である。
【００１３】
なお、このようなプラントの緊急時情報通知・表示手法の問題点は、原子力発電所に限らず、プラントの緊急時に複数の緊急対策拠点間におけるプラント情報の共有が重要な各種のプラントを監視対象とする緊急時情報通知・表示手法に共通して存在する問題点である。
【００１４】
本発明は、上述した課題を解決するために提案されたものであり、その目的は、遠隔地およびプラント内に設置された複数の緊急対策拠点間で同一のプラント情報を同一の表示形式で同時に表示可能で、緊急時の情報共有に貢献可能な、プラント緊急時情報表示システムと方法、Ｗｅｂサーバを提供することである。
【００１５】
特に、監視対象プラントが発電所である場合の目的は、行政出先機関、発電会社データセンタ、および発電所内にそれぞれ設けられた全ての緊急対策拠点でプラントプロセスの全点の情報を同一の表示形式で同時に表示可能で、発電所緊急時の情報共有に貢献可能な、プラント緊急時情報表示システムと方法、Ｗｅｂサーバを提供することである。
【課題を解決するための手段】
【００１６】
本発明は、上記のような目的を達成するために、収集されたプロセスデータを特定の表示形式でＷｅｂ画面表示する画像データを作成し、作成した画像データを、通信事業用ネットワーク経由で複数の緊急対策拠点に送信することにより、遠隔地およびプラント内に設置された複数の緊急対策拠点で同一のプラント情報を同一の表示形式で同時に表示できるようにしたものである。
【００１７】
本発明のプラント緊急時情報表示システムは、監視対象プラントの緊急時における情報を表示するプラント緊急時情報表示システムにおいて、収集サーバ、Ｗｅｂサーバ、および接続手段を備えたことを特徴としている。ここで、収集サーバは、監視対象プラントのプロセスデータを収集する手段である。Ｗｅｂサーバは、収集サーバで収集された監視対象プラントのプロセスデータを用いて、当該プロセスデータを予め設定された表示形式でＷｅｂ画面表示する画面表示用画像データを作成し、作成した画面表示用画像データを、通信事業用ネットワーク経由で、遠隔地および当該監視対象プラント内に設置された複数の緊急対策拠点の各Ｗｅｂクライアントに送信して当該監視対象プラントのプロセスデータをＷｅｂ画面表示させる手段である。接続手段は、監視対象プラントの緊急時にＷｅｂサーバと通信事業用ネットワークを接続する手段である。
【００１８】
本発明のプラント緊急時情報表示方法とプラント緊急時情報表示用Ｗｅｂサーバは、上記のシステムの特徴を方法とＷｅｂサーバの観点からそれぞれ把握したものである。
【００１９】
以上のような特徴を有する本発明においては、監視対象プラントの緊急時に、収集されたプロセスデータを収集サーバによりそのまま送信するのではなく、収集サーバと協働するＷｅｂサーバにより、当該プラントのプロセスデータを特定の表示形式で画面表示するための画面表示用画像データを作成し、通信事業用ネットワーク経由で複数の緊急対策拠点の各Ｗｅｂクライアントに送信することができる。すなわち、Ｗｅｂサーバにより、複数の緊急対策拠点の各Ｗｅｂクライアントに対して、同一のプロセスデータを示す同一の画面表示用画像データを送信することができるため、遠隔地およびプラント内に設置された複数の緊急対策拠点間で同一のプラント情報を同一の表示形式で同時に表示させることができる。
【００２０】
なお、本明細書中において、「プロセスデータ」は、発電所等の監視対象プラントから収集される個々のプロセスデータを示している。また、「プラント情報」は、プロセスデータにより示される各プラントの情報を意味しており、特に、プロセスデータから作成された画面表示用画像データによりＷｅｂ表示される各プラントの情報を示している。
【発明の効果】
【００２１】
本発明によれば、収集されたプロセスデータを特定の表示形式でＷｅｂ画面表示する画像データを作成し、作成した画像データを、通信事業用ネットワーク経由で複数の緊急対策拠点に送信することにより、遠隔地およびプラント内に設置された複数の緊急対策拠点間で同一のプラント情報を同一の表示形式で同時に表示可能で、緊急時の情報共有に貢献可能な、プラント緊急時情報表示システムと方法、Ｗｅｂサーバを提供することができる。
【発明を実施するための最良の形態】
【００２２】
［システム構成］
図１は、本発明を原子力発電所に適用した典型的な実施形態に係るプラント緊急時情報表示システムの構成を示すブロック図である。
【００２３】
この図１に示すように、本実施形態に係るプラント緊急時情報表示システムは、図１６に示す従来のシステムの構成において、発電会社データセンタ（遠隔地の緊急対策拠点）３に、Ｗｅｂサーバ３２およびＷｅｂクライアント３４を追加し、発電所（プラント）１および行政出先機関（遠隔地の緊急対策拠点）７にＷｅｂクライアント１２，７２をそれぞれ追加すると共に、Ｗｅｂサーバ３２とＷｅｂクライアント１２，７２間を、通信事業者回線（通信事業用ネットワーク）８を介して接続したものである。さらに、Ｗｅｂサーバ３２と通信事業者回線８の間には、発電所１の緊急時に両者を接続する接続手段３５が設けられている。
【００２４】
発電会社データセンタ３において、収集サーバ３１は、Ｗｅｂサーバ３２の追加に伴い、監視対象プラントである発電所１の緊急時に、発電所１のプラントデータを、Ｗｅｂサーバ３２に対して周期的に送信するように構成されている。また、Ｗｅｂサーバ３２は、収集サーバ３１から周期的に送信される発電所１のプラントデータを受信し、当該プラントデータを予め設定された表示形式でＷｅｂ画面表示する画面表示用画像データを作成し、作成した画面表示用画像データを、通信事業者回線８経由で各Ｗｅｂクライアントに送信して、発電所１のプラントデータをＷｅｂ画面表示させるように構成されている。
【００２５】
なお、Ｗｅｂサーバ３２は、収集サーバ３１と同様に、一般的に「サーバ」と呼ばれる記憶容量の大きなコンピュータから構成されており、Ｗｅｂサーバとしての機能は、一般的に使用されている各種のＷｅｂサーバ用ソフトウェアにより容易に実現される。Ｗｅｂクライアント１２，３４，７２は、具体的には、汎用のパーソナルコンピュータから構成されており、Ｗｅｂサーバ３２から受信した画面表示用画像データをＷｅｂ画面表示させる機能は、一般的に使用されている各種のＷｅｂブラウザにより容易に実現される。
【００２６】
また、本明細書中において、「プラントデータ」は、プロセスデータを各プラントのデータという観点から把握した場合の、プラント単位のプロセスデータを包括的に示す用語である。
【００２７】
［発電会社データセンタの構成］
図２は、図１に示すプラント緊急時情報表示システムのうち、発電会社データセンタ３の機器構成を示すブロック図である。
【００２８】
この図２に示すように、発電会社データセンタ３において、収集サーバ３１とＷｅｂサーバ３２は、ハブ３６を介して接続され、伝送を行う。このうち、収集サーバ３１は、通信ユニット３７を介して発電会社専用回線２および通信事業者回線４に接続されている。また、Ｗｅｂサーバ３２は、Ｌ２スイッチ３５１とスイッチ３５２から構成される接続手段３５、およびルータ３８を介して、通信事業者回線８と接続される。
【００２９】
［システム動作］
図３は、以上のような構成を有する本実施形態におけるプラント緊急時情報表示システムの動作として、特に、発電会社データセンタ３を中心とした動作の概略を示すフローチャートである。以下には、この図３を参照しながら、本システムの動作について説明する。
【００３０】
まず、本システムにおいて、Ｗｅｂサーバ３２とＷｅｂクライアントとの間の接続は、発電所１の災害時等の緊急時のみ接続できれば十分機能を果たすことができるため、発電会社データセンタ３のＷｅｂサーバ３２と、発電所１や行政出先機関７のＷｅｂクライアント１２，７２との間の接続は、セキュリティの観点から、Ｗｅｂサーバ３２と通信事業者回線８との接続手段３５のＬ２スイッチ（レイヤ２スイッチングハブ）３５１とスイッチ３５２により、接続が必要な緊急時にのみ接続する。
【００３１】
このような、緊急時のみの接続は、Ｌ２スイッチ３５１のバーチャルＬＡＮ機能により容易に実現することができる。すなわち、一般に、Ｌ２スイッチ３５１は、ＬＡＮの物理的な接続形態とは独立に、端末の仮想的なグループを設定する技術であるバーチャルＬＡＮ機能を持つことができる。
【００３２】
したがって、図１のシステムにおいて、通常時は、接続手段３５のＬ２スイッチ３５１に接続されているＷｅｂサーバ３２とルータ３８を、別のバーチャルＬＡＮグループとして管理し、これらのバーチャルＬＡＮグループ間を接続するスイッチ３５２の回路を開にすることにより、Ｗｅｂサーバ３２とルータ３８を切り離すことができる。
【００３３】
これにより、通常時において、Ｗｅｂサーバ３２と通信事業者回線８は切り離されており、Ｗｅｂサーバ３２から発電所１や行政出先機関７のＷｅｂクライアント１２，７２に対して画面表示用画像データが送信されることはなく、それらのＷｅｂクライアント１２，７２上に、発電所１のプラントデータがＷｅｂ画面表示されることはない。
【００３４】
一方、図３に示すように、発電所１の災害時等において、プラント情報の表示が必要な緊急状態発生時には、Ｗｅｂサーバ３２とルータ３８という２つのバーチャルＬＡＮグループを接続するスイッチ３５２の回路を閉にすることにより、Ｗｅｂサーバ３２とルータ３８が接続され、Ｗｅｂサーバ３２と通信事業者回線８が接続される（Ｓ１１０）。
【００３５】
これにより、図３に示すような収集サーバ３１とＷｅｂサーバ３２による周期的なループ処理（ＬＯＯＰ）が可能となる。すなわち、発電所１の緊急時には、予め設定された周期の各期毎に、収集サーバ３１からＷｅｂサーバ３２に対して発電所１のプラントデータが送信される（Ｓ１２０）。Ｗｅｂサーバ３２により、当該プラントデータを予め設定された表示形式でＷｅｂ画面表示する画面表示用画像データが作成され、ルータ３８および通信事業者回線８経由で発電所１や行政出先機関７の各Ｗｅｂクライアント１２，７２に送信される（Ｓ１３０）。
【００３６】
発電所１や行政出先機関７の各Ｗｅｂクライアント１２，７２により、Ｗｅｂサーバ３２からの画面表示用画像データが受信されると、それらのＷｅｂクライアント１２，７２上には、発電所１のプラントデータが、予め設定された同じ表示形式でＷｅｂ画面表示される（Ｓ１４０）。なお、発電会社データセンタ３内のＷｅｂクライアント３４は、Ｗｅｂサーバ３２からの画面表示用画像データを直接受け取り、このＷｅｂクライアント３４上にも、他のＷｅｂクライアント１２，７２上と同じプラントデータが、同じ表示形式でＷｅｂ画面表示される。
【００３７】
以上のような周期的なループ処理（ＬＯＯＰ）は、発電所１の緊急状態が継続する間（Ｓ１５０のＹＥＳ）は周期的に繰り返される。そして、各Ｗｅｂクライアント１２，３４，７２上に表示される同じプラント情報に基づき緊急対策が行われて、緊急状態が終了した時点で（Ｓ１５０のＮＯ）、接続手段３５のスイッチ３５２の回路を開にすることにより、Ｗｅｂサーバ３２とルータ３８が切り離され、Ｗｅｂサーバ３２と通信事業者回線８が切り離されて（Ｓ１６０）、通常状態となる。
【００３８】
［基本的な効果］
以上のようなシステム構成を持ち、システム動作を行う本実施形態のシステムによれば、次のような効果が得られる。
【００３９】
まず、監視対象プラントである発電所１の緊急時に、収集されたプラントデータを収集サーバ３１によりそのまま送信するのではなく、収集サーバ３１と協働するＷｅｂサーバ３２により、当該プラントのプラントデータを特定の表示形式で画面表示するための画面表示用画像データを作成し、発電会社データセンタ３内のＷｅｂクライアント３４に送信すると共に通信事業者回線８経由で発電所１や行政出先機関７の各Ｗｅｂクライアント１２，７２に送信することができる。
【００４０】
したがって、行政出先機関７、発電会社データセンタ３、および発電所１内にそれぞれ設けられた全ての緊急対策拠点に対して、同一のプラントデータを示す同一の画面表示用画像データを送信することができるため、それらの全ての緊急対策拠点でプラント情報を同一の表示形式で同時に表示可能であり、発電所緊急時の情報共有に貢献できる。
【００４１】
［サーバ構成と処理内容の具体例］
以下には、発電会社データセンタ３における収集サーバ３１とＷｅｂサーバ３２の構成とデータ処理内容の具体例について説明する。
【００４２】
［リアルタイム表示用の具体例］
図４は、収集サーバ３１とＷｅｂサーバ３２の構成の一例として、リアルタイム表示を行うサーバ構成例を示すブロック図である。この図４に示すように、収集サーバ３１は、サーバ間伝送部３１１、記憶部３１２、プラントデータ収集部３１３、を備えている。また、Ｗｅｂサーバ３２は、サーバ間伝送部３２１、記憶部３２２、表示画面作成部３２３、外部伝送部３２４、を備えている。
【００４３】
ここで、収集サーバ３１の記憶部３１２には、プラントデータを定義するプラントデータ情報テーブル１０１が保存されている。また、プラントデータ収集部３１３は、監視対象プラントである発電所１内のプロセス計算機１１から一定の周期で送信されるプラントデータ１０２を収集する。一方、Ｗｅｂサーバ３２の記憶部３２２には、画面構成について、画面上の表示位置、表示項目、表示形式などを定義する表示情報テーブル１０３が保存されている。このＷｅｂサーバ３２の記憶部３２２にはまた、収集サーバ３１からプラントデータ情報テーブル１０１を受信した場合に、このプラントデータ情報テーブル１０１が保存されるようになっている。
【００４４】
なお、サーバ３１，３２間でのデータの流れを明確に示す観点から、図４および後述する別のサーバ構成例を示すブロック図（図８、図１２）においては、記憶部３１２，３２２に予め保存されているデータを実線で示し、受信した時点で新たに保存されるデータを破線で示している。
【００４５】
また、図４および後述する図８、図１２においては、図面の簡略化の観点から、収集サーバ３１とＷｅｂサーバ３２の構成のみが示されており、これらのサーバ３１，３２間のハブ３６を初めとして、発電会社データセンタ３内における他の構成の記載は省略されている。
【００４６】
図５は、図４のサーバ構成において、サーバ間のデータ伝送手順を示すタイムチャートである。この図５に示すように、緊急状態発生によるシステム起動時において、Ｗｅｂサーバ３２が通信事業者回線８と接続されて、Ｗｅｂクライアント１２，７２への送信が可能となった場合に、Ｗｅｂサーバ３２は、収集サーバ３１に対して、サーバ間伝送部３２１によりデータ伝送要求を行う。
【００４７】
収集サーバ３１は、サーバ間伝送部３１１によりＷｅｂサーバ３２からのデータ伝送要求を受信し、このデータ伝送要求をトリガとして、記憶部３１２に保存しているプラントデータ情報テーブル１０１をＷｅｂサーバ３２に送信する。ここで、プラントデータ情報テーブル１０１は、具体的には、プラントデータのデータの並び・データ名称・単位等を定義したテーブルであり、予め登録された全ての監視対象プラント（具体的には、対象となる発電会社が持つ全ての発電所）のデータを全て含む。図６は、プラントデータ情報テーブル１０１の構成例を示すデータ構成図である。
【００４８】
図５に示すように、プラントデータ情報テーブル１０１を受信したＷｅｂサーバ３２は、このプラントデータ情報テーブル１０１を記憶部３２２に保存すると共に、収集サーバ３１に対して正常受信応答を行う。Ｗｅｂサーバ３２からのこの正常受信応答により、収集サーバ３１は、プラントデータ１０２の定周期送信を開始する。図７は、定周期送信されるプラントデータ１０２の構成例を示すデータ構成図であり、プラントヘッダ部とｎ点目のデータ部から構成されている。
【００４９】
Ｗｅｂサーバ３２は、サーバ間伝送部３１１により収集サーバ３１から送信されるプラントデータ１０２の定周期受信を開始すると、受信する各期ごとに、表示画面作成部３２３により、記憶部３２２に保存している表示情報テーブル１０３とプラントデータ情報テーブル１０１、およびプラントデータ１０２を用いて画面表示用画像データ１０４を作成する。すなわち、表示画面作成部３２３は、表示情報テーブル１０３を参照し、画面上の表示位置、表示項目、表示形式などを取得すると共に、該当する表示項目を、プラントデータ情報テーブル１０１および今回受信したプラントデータ１０２から取得して、このプラントデータ１０２を所定の表示形式でＷｅｂ画面表示する画面表示用画像データ１０４を作成する。
【００５０】
Ｗｅｂサーバ３２は、表示画面作成部３２３により画面表示用画像データ１０４を作成した時点で、作成した画面表示用画像データ１０４を外部伝送部３２４によりサーバ外部に送信する。すなわち、Ｗｅｂサーバ３２においては、収集サーバ３１からプラントデータ１０２を定周期受信する各期ごとに、今回受信した最新のプラントデータ１０２の画面表示用画像データ１０４が作成され、作成された画面表示用画像データ１０４は、発電会社データセンタ３内のＷｅｂクライアント３４に送信されると共に、ルータ３８および通信事業者回線８経由で、発電所１や行政出先機関７の各Ｗｅｂクライアント１２，７２に送信される。
【００５１】
図４のサーバ構成で以上のようなデータ処理を行うことにより、行政出先機関７、発電会社データセンタ３、および発電所１内にそれぞれ設けられた全ての緊急対策拠点に対して、同一のプラントデータ１０２を示す同一の画面表示用画像データ１０４を定周期で送信することができるため、それらの全ての緊急対策拠点で同一のプラント情報を同一の表示形式で連続的にリアルタイム表示可能であり、発電所緊急時の情報共有により一層貢献できる。
【００５２】
特に、図７に示すようなプラントデータに、プラントプロセスの全点のデータ部を含めることにより、全ての緊急対策拠点でプラントプロセスの全点の情報を同一の表示形式で連続的にリアルタイム表示できるため、発電所緊急時の情報共有により一層貢献できる。
【００５３】
［グラフ表示用の具体例］
図８は、収集サーバ３１とＷｅｂサーバ３２の構成の一例として、グラフ表示を行うサーバ構成例を示すブロック図である。この図８に示すように、収集サーバ３１の記憶部３１２には、プラントデータ情報テーブル１０１に加えて、グラフ用収集データを定義するグラフ収集情報テーブル１０５が保存されると共に、プラントデータ収集部３１３で定周期受信するプラントデータをグラフ作成用のデータとして複数期にわたって収集したグラフ用収集データ１０６が保存されている。なお、収集サーバ３１の他の部分は、前述した図４の収集サーバ３１と同様に構成されている。
【００５４】
また、Ｗｅｂサーバ３２の記憶部３２２には、図４の表示情報テーブル１０３の代わりに、グラフ形式で画面表示を行うための画面構成について、画面上の表示位置、表示項目、表示形式などを定義するグラフ表示情報テーブル１０３ｇが保存されている。Ｗｅｂサーバ３２にはまた、図４の表示画面作成部３２３の代わりに、グラフ形式画面表示用画像データ１０４ｇを作成するグラフ表示画面作成部３２３ｇが設けられている。なお、Ｗｅｂサーバ３２の他の部分は、前述した図４のＷｅｂサーバ３２と同様に構成されている。
【００５５】
図９は、図８のサーバ構成において、サーバ間のデータ伝送手順を示すタイムチャートである。この図９に示すように、緊急状態発生によるシステム起動時において、Ｗｅｂサーバ３２が、収集サーバ３１に対して、サーバ間伝送部３２１によりデータ伝送要求を行うと、収集サーバ３１は、このデータ伝送要求をトリガとして、記憶部３１２に保存しているプラントデータ情報テーブル１０１、グラフ収集情報テーブル１０５、およびグラフ収集データ１０６をＷｅｂサーバ３２に送信する。ここで、プラントデータ情報テーブル１０１は、図４のプラントデータ情報テーブル１０１と同様に、例えば、図６に示すように構成されている。
【００５６】
また、グラフ収集情報テーブル１０５は、発電所１の各発電機「…号機」毎に設定される各グラフに対して、表示するデータ項目の「ＩＤ番号」とグラフ表示上の「上限値」と「下限値」を定義したテーブルである。図１０は、グラフ収集情報テーブル１０５の構成例を示すデータ構成図である。
【００５７】
また、グラフ用収集データ１０６は、収集サーバ３１がプロセス計算機１１より常時受信しているプラントデータをグラフ作成用のデータとして収集している保存ファイルである。図１１は、グラフ用収集データ１０６の構成例を示すデータ構成図である。
【００５８】
図９に示すように、プラントデータ情報テーブル１０１、グラフ収集情報テーブル１０５、およびグラフ収集データ１０６を受信したＷｅｂサーバ３２は、これらのデータを記憶部３２２に保存すると共に、収集サーバ３１に対して正常受信応答を行う。Ｗｅｂサーバ３２からのこの正常受信応答により、収集サーバ３１は、プラントデータ１０２の定周期送信を開始する。ここで、プラントデータ１０２は、図４のプラントデータ１０２と同様に、例えば、図７に示すように構成されている。
【００５９】
Ｗｅｂサーバ３２は、収集サーバ３１から、プラントデータ情報テーブル１０１、グラフ収集情報テーブル１０５、およびグラフ収集データ１０６を受信した時点で、グラフ表示画面作成部３２３ｇにより、これらのデータ１０１，１０５，１０６と、記憶部３２２に予め保存されているグラフ表示情報テーブル１０３ｇを用いて、グラフ形式画面表示用画像データ１０４ｇを作成する。
【００６０】
すなわち、グラフ表示画面作成部３２３ｇは、定周期受信された複数期のプラントデータであるグラフ収集データ１０６を所定のグラフ表示形式でＷｅｂ画面表示するグラフ形式画面表示用画像データ１０４ｇを作成する。Ｗｅｂサーバ３２は、作成したグラフ形式画面表示用画像データ１０４ｇを、外部伝送部３２４によりサーバ外部に送信する。すなわち、グラフ画面表示用画像データ１０４ｇは、図４の画面表示用画像データ１０４ｇと同様に、発電会社データセンタ３内のＷｅｂクライアント３４に送信されると共に、ルータ３８および通信事業者回線８経由で、発電所１や行政出先機関７の各Ｗｅｂクライアント１２，７２に送信される。
【００６１】
また、Ｗｅｂサーバ３２は、収集サーバ３１から送信されるプラントデータ１０２の定周期受信を開始すると、このプラントデータ１０２を定周期受信する各期ごとに、今回受信した最新のプラントデータ１０２をグラフ用収集データ１０６に追加する形で保存し、グラフ用収集データ１０６を更新すると共に、更新したグラフ用収集データ１０６を所定のグラフ表示形式でＷｅｂ画面表示するグラフ形式画面表示用画像データ１０４ｇを作成し、サーバ外部の各Ｗｅｂクライアント１２，３４，７２に送信する。
【００６２】
図８のサーバ構成で以上のようなデータ処理を行うことにより、行政出先機関７、発電会社データセンタ３、および発電所１内にそれぞれ設けられた全ての緊急対策拠点に対して、複数期にわたる同一のプラントデータ１０２をグラフ形式で示す同一のグラフ形式画面表示用画像データ１０４ｇを定周期で送信することができるため、それらの全ての緊急対策拠点で連続的な同一のプラント情報を同一のグラフ形式でリアルタイム更新しながらリアルタイム表示可能であり、発電所緊急時の情報共有により一層貢献できる。
【００６３】
特に、緊急状態発生時であるシステム起動時において、それ以前に収集された複数期にわたる過去のプラント情報をグラフ表示できるため、発電所緊急時の情報共有により一層貢献できる。また、収集サーバ３１とＷｅｂサーバ３２の両方で、複数期にわたる同一のプラントデータ１０２を共有できるため、各Ｗｅｂクライアント１２，３４，７２だけでなく、発電会社データセンタ３内の収集サーバ用クライアント３３でも、連続的な同一のプラント情報を同一のグラフ形式でリアルタイム更新しながらリアルタイム表示可能であり、この点からも、発電所緊急時の情報共有により一層貢献できる。
【００６４】
［ユーザ認証用の具体例］
図１２は、収集サーバ３１とＷｅｂサーバ３２の構成の一例として、ユーザ認証を行うサーバ構成例を示すブロック図である。この図１２に示すように、収集サーバ３１には、図４の収集サーバ３１の構成に、ユーザレベル確認部３１４およびユーザレベル記憶部３１５が追加されており、ユーザレベル記憶部３１５には、各ユーザのユーザレベル（システム内のデータに対するユーザのアクセスレベル）を、ユーザＩＤおよびパスワードと対応付けて定義するユーザレベルテーブル１０７が保存されている。なお、収集サーバ３１の他の部分は、前述した図４の収集サーバ３１と同様に構成されている。
【００６５】
また、Ｗｅｂサーバ３２には、図４のＷｅｂサーバ３２の構成に、ユーザ認証部３２５およびユーザ認証情報記憶部３２６が追加されており、ユーザ認証情報記憶部３２６には、ログイン中のユーザのユーザレベルを管理するログインユーザ管理テーブル１０８および各ユーザレベルに対応する表示画面の種別を定義する閲覧許可テーブル１０９が保存されている。なお、Ｗｅｂサーバ３２の他の部分は、前述した図４のＷｅｂサーバ３２と同様に構成されている。
【００６６】
図１３は、図１２のサーバ構成において、サーバ間のユーザ認証時におけるデータ伝送手順を示すタイムチャートである。この図１３に示すように、いずれかのＷｅｂクライアント１２，３４，７２のユーザから、Ｗｅｂサーバ３２に対して、外部伝送部３２４によりユーザＩＤとパスワードを含むログイン要求がなされた場合に、Ｗｅｂサーバ３２のユーザ認証部３２５は、サーバ間伝送部３２１を通じて、ログイン要求のユーザＩＤとパスワードを収集サーバ３１に送信する。
【００６７】
収集サーバ３１のユーザレベル確認部３１４は、サーバ間伝送部３１１を通じて、Ｗｅｂサーバ３２からのユーザＩＤとパスワードを受け取り、ユーザレベル記憶部３１５のユーザレベルテーブル１０７を参照して、ユーザＩＤとパスワードが適合していることを確認し、ログイン要求元のユーザが所属するユーザレベル１０７ｎをＷｅｂサーバ３２に返信する。
【００６８】
Ｗｅｂサーバ３２のユーザ認証部３２５は、収集サーバ３１からログイン要求元のユーザのユーザレベル１０７ｎを受け取ると、当該ユーザのユーザＩＤとユーザレベル１０７ｎを、当該ユーザがログアウトするまでの間、ユーザ認証情報記憶部３２６のログインユーザ管理テーブル１０８に一時的に保存すると同時に、当該ユーザのＷｅｂクライアントに対してログイン応答としての成功画面を返す。図１４は、ログインユーザ管理テーブル１０８の構成例を示すデータ構成図である。
【００６９】
ログインに成功した後、当該ログインユーザからプラント情報の表示要求がなされると、Ｗｅｂサーバ３２の表示画面作成部３２３は、ユーザ認証情報記憶部３２６のログインユーザ管理テーブル１０８および閲覧許可テーブル１０９を参照して、当該ログインユーザのユーザレベル１０７ｎにおいてアクセス可能なプラント情報の種別のみをメニューにしたメニュー画面をＷｅｂ画面表示するメニュー画面表示用画像データ１０４ｍを作成し、当該ログインユーザのＷｅｂクライアントに返信する。図１５は、閲覧許可テーブル１０９の構成例を示すデータ構成図であり、この例においては、個々のユーザレベルに対して、表示するプラント情報の種別の異なる複数種類の画面に対するアクセスの可否が対応付けられている。
【００７０】
当該ログインユーザからメニュー画面上で選択された種別のプラント情報の表示要求がなされると、Ｗｅｂサーバ３２の表示画面作成部３２３は、当該種別のプラント情報をＷｅｂ画面表示する画面表示用画像データ１０４をリアルタイム作成し、当該ログインユーザのＷｅｂクライアントに送信する。これにより、ログインユーザのＷｅｂクライアントにおいては、当該種別のプラント情報のリアルタイム表示が可能になる。
【００７１】
なお、プラント情報のリアルタイム表示の手法については、図４の構成について前述した手法をそのまま使用できるため、ここでは説明を省略する。
【００７２】
図１２のサーバ構成で以上のようなデータ処理を行うことにより、システムにユーザ認証機能を持たせることができるため、プラント情報の種別に応じた適切な情報保護を実現しながら、プラント情報を広く開示することができ、緊急時におけるより幅広い情報共有が可能となる。
【００７３】
［他の実施形態］
なお、本発明は、前述した実施形態に限定されるものではなく、本発明の範囲内で他にも多種多様な変形例が実施可能である。例えば、前述したグラフ表示用の具体例とユーザ認証用の具体例を組み合わせることなどが可能である。
【００７４】
また、前記実施形態で示したプラント緊急時情報表示システムとそれを構成する発電会社データセンタ、収集サーバ、Ｗｅｂサーバ等の具体的な構成やデータ形式、処理手順、処理内容等は、一例にすぎず、収集されたプロセスデータを特定の表示形式でＷｅｂ画面表示する画像データを作成し、作成した画像データを、通信事業用ネットワーク経由で複数の緊急対策拠点に送信するものである限り、具体的な構成やデータ形式、処理手順、処理内容等は自由に変更可能である。
【００７５】
なお、前述した通り、本発明は、原子力発電所等の発電所の緊急時における情報表示システムとして最適であるが、他にも、化学プラント等の緊急時における情報表示が必要な各種の産業プラントに同様に適用可能であり、同様に優れた効果が得られるものである。
【図面の簡単な説明】
【００７６】
【図１】本発明を原子力発電所に適用した典型的な実施形態に係るプラント緊急時情報表示システムの構成を示すブロック図。
【図２】図１に示すプラント緊急時情報表示システムのうち、発電会社データセンタの機器構成を示すブロック図。
【図３】図１に示すプラント緊急時情報表示システムの動作として、発電会社データセンタを中心とした動作の概略を示すフローチャート。
【図４】図１に示す収集サーバとＷｅｂサーバの構成の一例として、リアルタイム表示を行うサーバ構成例を示すブロック図。
【図５】図４のサーバ構成において、サーバ間のデータ伝送手順を示すタイムチャート。
【図６】図４のプラントデータ情報テーブルの構成例を示すデータ構成図。
【図７】図４のプラントデータの構成例を示すデータ構成図。
【図８】図１に示す収集サーバとＷｅｂサーバの構成の一例として、グラフ表示を行うサーバ構成例を示すブロック図。
【図９】図８のサーバ構成において、サーバ間のデータ伝送手順を示すタイムチャート。
【図１０】図８のグラフ収集情報テーブルの構成例を示すデータ構成図。
【図１１】図８のグラフ用収集データの構成例を示すデータ構成図。
【図１２】図１に示す収集サーバとＷｅｂサーバの構成の一例として、ユーザ認証を行うサーバ構成例を示すブロック図。
【図１３】図１２のサーバ構成において、サーバ間のユーザ認証時におけるデータ伝送手順を示すタイムチャート。
【図１４】図１２のログインユーザ管理テーブルの構成例を示すデータ構成図。
【図１５】図１２の閲覧許可テーブルの構成例を示すデータ構成図。
【図１６】従来の原子力発電所の緊急自情報表示システムの構成例を示すブロック図。
【符号の説明】
【００７７】
１…発電所
１１…プロセス計算機
１２…（発電所内）Ｗｅｂクライアント
２…発電会社専用回線
３…発電会社データセンタ
３１…収集サーバ
３１１，３２１…サーバ間伝送部
３１２，３２２…記憶部
３１３…プラントデータ収集部
３１４…ユーザレベル確認部
３１５…ユーザレベル記憶部
３２…Ｗｅｂサーバ
３２３…表示画面作成部
３２３ｇ…グラフ表示画面作成部
３２４…外部伝送部
３２５…ユーザ認証部
３２６…ユーザ認証情報記憶部
３３…収集サーバ用クライアント
３４…（発電会社データセンタ内）Ｗｅｂクライアント
３５…接続手段
３５１…Ｌ２スイッチ
３５２…スイッチ
３６…ハブ
３７…通信ユニット
３８…ルータ
４，８…通信事業者回線
５…行政データセンタ
５１…行政サーバ
６…行政専用回線
７…行政出先機関
７１…行政クライアント
７２…（行政出先機関内）Ｗｅｂクライアント
１０１…プラントデータ情報テーブル
１０２…プラントデータ
１０３…表示情報テーブル
１０３ｇ…グラフ表示情報テーブル
１０４…画面表示用画像データ
１０４ｇ…グラフ形式画面表示用画像データ
１０４ｍ…メニュー画面表示用画像データ
１０５…グラフ収集情報テーブル
１０６…グラフ用収集データ
１０７…ユーザレベルテーブル
１０７ｎ…ユーザレベル
１０８…ログインユーザ管理テーブル
１０９…閲覧許可テーブル
【図１】
2006221376.tif 000003
【図２】
2006221376.tif 000004
【図３】
2006221376.tif 000005
【図４】
2006221376.tif 000006
【図５】
2006221376.tif 000007
【図６】
2006221376.tif 000008
【図７】
2006221376.tif 000009
【図８】
2006221376.tif 000010
【図９】
2006221376.tif 000011
【図１０】
2006221376.tif 000012
【図１１】
2006221376.tif 000013
【図１２】
2006221376.tif 000014
【図１３】
2006221376.tif 000015
【図１４】
2006221376.tif 000016
【図１５】
2006221376.tif 000017
【図１６】
2006221376.tif 000018